(57)【要約】      （修正有）【課題】包装容器の肉厚はそのままで破断方向に自由度が得られる包装容器を提供する。【解決手段】内容物を内包する包装容器１が射出成形により作成されると共に、底部の開口部１ｂから内容物を充填収納し、開口部１ｂの周縁に設けられた鍔部１ｃにフィルム３を接着して該開口部１ｂが閉塞される。鍔部１ｃの一部に設けられた切り口１ｃ１を始点とし、包装容器１の射出成形用ゲート痕１ｅに向かって、該射出成形用ゲート痕１ｅから該射出成形用ゲート痕１ｅを中心に放射状に射出される樹脂の流れの方向に沿って包装容器１を破断して、内包された内容物を取り出し得る。【選択図】図１
0003158883.tif 000002
【実用新案登録請求の範囲】
【請求項１】
内容物を内包する包装容器が射出成形により作成されると共に、底部の開口部から前記内容物を充填収納し、前記開口部の周縁に設けられた鍔部にフィルムを接着して該開口部が閉塞される包装容器であって、
前記包装容器の前記鍔部の一部に設けられた切り口を始点とし、前記包装容器の射出成形用ゲート痕に向かって、該射出成形用ゲート痕から該射出成形用ゲート痕を中心に放射状に射出される樹脂の流れの方向に沿って前記包装容器を破断して、内包された内容物を取り出し得ることを特徴とする包装容器。
【請求項２】
前記内容物は固形物食品であり、前記包装容器は内包される固形物食品の外周表面形状に対応して射出成形により作成されると共に、前記底部の開口部から前記固形物食品の流動物を充填収納し得ることを特徴とする請求項１に記載の包装容器。
【請求項３】
前記内容物は鏡餅であり、前記包装容器は内包される鏡餅の外周表面形状に対応して射出成形により作成されると共に、前記底部近傍の外周面が外側に湾曲突出し、該底部に前記湾曲突出部の外径よりも小さい口径からなる開口部を有し、その開口部から鏡餅を充填収納し得ることを特徴とする請求項２に記載の包装容器。
【請求項４】
前記包装容器の前記天面の中央部に前記射出成形用ゲート痕が設けられたことを特徴とする請求項１〜３の何れか１項に記載の包装容器。
【請求項５】
前記包装容器の一部に設けられた切り口の近傍両側に前記包装容器を破断するための摘み部が設けられたことを特徴とする請求項１〜４の何れか１項に記載の包装容器。
【考案の詳細な説明】
【技術分野】
【０００１】
本考案は、内容物を内包する包装容器の底部の開口部から内容物を充填収納し、該開口部の周縁に設けられた鍔部にフィルムを接着して該開口部が閉塞される包装容器に関するものである。
【背景技術】
【０００２】
従来、内容物を内包する包装容器の底部の開口部から内容物を充填収納し、該開口部の周縁に設けられた鍔部にフィルムを接着して該開口部が閉塞される包装容器の一例として鏡餅容器がある。鏡餅容器内に内包された鏡餅を取り出す際には、鏡餅容器を破断して取り出す必要があり、容器の樹脂が破断し難い場合もあった。
【０００３】
そこで、特開２００８−２９６９２８号公報（特許文献１）では、鏡餅容器に予め凹状切断線部を形成しておき、その凹状切断線部に沿って鏡餅容器を切断して鏡餅を取り出すものが提案されている。また、特開２００９−０８３９２６号公報（特許文献２）では、プラスチックのシート状物を二段重ねの鏡餅形状に成形し、そのシート状物を作成する際のシート流れ方向に切断用ノッチの向きを一致させて、シート流れ方向に沿って鏡餅容器を引き裂いて鏡餅を取り出すものが提案されている。
【先行技術文献】
【特許文献】
【０００４】
【特許文献１】特開２００８−２９６９２８号公報
【特許文献２】特開２００９−０８３９２６号公報
【考案の概要】
【考案が解決しようとする課題】
【０００５】
しかしながら、前述の特許文献１の技術では、凹状切断線部の内面部位が他の内面部位よりも肉薄となる構成であるため、凹状切断線部が局部的に破断し易くなり、輸送時などの取り扱いに注意を要するものであった。また、特許文献２の技術では、シート流れ方向に沿っては引き裂き易いが、それ以外の例えばシート流れ方向と直行する方向には引き裂き難いため、決まった方向にしか引き裂くことができず、自由度に欠けるといった問題があった。
【０００６】
本考案は前記課題を解決するものであり、その目的とするところは、包装容器の肉厚はそのままで破断方向に自由度が得られる包装容器を提供せんとするものである。
【課題を解決するための手段】
【０００７】
前記目的を達成するための本考案に係る包装容器の第１の構成は、内容物を内包する包装容器が射出成形により作成されると共に、底部の開口部から前記内容物を充填収納し、前記開口部の周縁に設けられた鍔部にフィルムを接着して該開口部が閉塞される包装容器であって、前記包装容器の前記鍔部の一部に設けられた切り口を始点とし、前記包装容器の射出成形用ゲート痕に向かって、該射出成形用ゲート痕から該射出成形用ゲート痕を中心に放射状に射出される樹脂の流れの方向に沿って前記包装容器を破断して、内包された内容物を取り出し得ることを特徴とする。
【０００８】
また、本考案に係る包装容器の第２の構成は、前記第１の構成において、前記内容物は固形物食品であり、前記包装容器は内包される固形物食品の外周表面形状に対応して射出成形により作成されると共に、前記底部の開口部から前記固形物食品の流動物を充填収納し得ることを特徴とする。
【０００９】
また、本考案に係る包装容器の第３の構成は、前記第２の構成において、前記内容物は鏡餅であり、前記包装容器は内包される鏡餅の外周表面形状に対応して射出成形により作成されると共に、前記底部近傍の外周面が外側に湾曲突出し、該底部に前記湾曲突出部の外径よりも小さい口径からなる開口部を有し、その開口部から鏡餅を充填収納し得ることを特徴とする。
【００１０】
また、本考案に係る包装容器の第４の構成は、前記第１〜３の構成において、前記包装容器の前記天面の中央部に前記射出成形用ゲート痕が設けられたことを特徴とする。
【００１１】
また、本考案に係る包装容器の第５の構成は、前記第１〜４の構成において、前記包装容器の一部に設けられた切り口の近傍両側に前記包装容器を破断するための摘み部が設けられたことを特徴とする。
【考案の効果】
【００１２】
本考案に係る包装容器の第１の構成によれば、包装容器の前記鍔部の一部に設けられた切り口を始点とし、該包装容器の射出成形用ゲート痕に向かって、該射出成形用ゲート痕から該射出成形用ゲート痕を中心に放射状に射出される樹脂の流れの方向に沿って該包装容器を容易に破断することができ、内包された内容物を取り出すことが出来る。
【００１３】
また、本考案に係る包装容器の第２の構成によれば、内容物がプリンなどの固形物食品に適用でき、固形物食品の外形を維持したままで、包装容器から容易に取り出すことが出来る。
【００１４】
また、本考案に係る包装容器の第３の構成によれば、内容物が底部近傍の外周面が外側に湾曲突出した鏡餅に適用でき、硬化した鏡餅を切断する必要もなく外形を維持したままで、包装容器から容易に取り出すことが出来る。
【００１５】
また、本考案に係る包装容器の第４の構成によれば、包装容器の天面の中央部に射出成形用ゲート痕を設けたことで、包装容器の底部の開口部から天面の中央部に向かって放射状にどの方向にでも破断することが出来、破断方向に自由度が得られる。
【００１６】
また、本考案に係る包装容器の第５の構成によれば、包装容器の一部に設けられた切り口の近傍両側に設けた摘み部を摘んで包装容器を容易に破断することが出来る。
【図面の簡単な説明】
【００１７】
【図１】本考案に係る包装容器の第１実施形態の構成を示す斜視説明図である。
【図２】本考案に係る包装容器の第１実施形態の構成を示す分解説明図である。
【図３】第１実施形態の包装容器を破断して内容物を取り出す様子を示す斜視説明図である。
【図４】第１実施形態の包装容器が射出成形により作成される様子を示す断面説明図である。
【図５】（ａ）は本考案に係る包装容器の第２実施形態の構成を示す斜視説明図、（ｂ）は第２実施形態の包装容器の鍔部に設けた吐出口を破断して内容物を取り出す様子を示す斜視説明図である。
【考案を実施するための形態】
【００１８】
図により本考案に係る包装容器の一実施形態を具体的に説明する。先ず、図１〜図４を用いて本考案に係る包装容器の第１実施形態の構成について説明する。
【実施例１】
【００１９】
図１〜図４において、１は内容物として、固形物食品としての鏡餅２を内包する包装容器であり、図４に示すように、鏡餅２の外周表面形状に対応して射出成形により作成される。図４はセンターピンゲートの金型を使用して射出成形を行う場合の一例であり、コアプレート４に対してエジェクタピン５により可動するストリッププレート６と、コアプレート４のコア部４ａに対向すると共に、左右に２分割される一対のキャビティ７を有して構成される。
【００２０】
そして、図４（ａ）に示す状態の金型にスプルゥブッシュ８から樹脂を射出して図４（ｂ）に示すように、包装容器１を成形して硬化させた後、図４（ｃ）に示すように、キャビティ７を左右に分割して退避させ、スプルゥブッシュ８も上方に退避させ、図４（ｄ）に示すように、エジェクタピン５によりストリッププレート６を上昇させて包装容器１をコアプレート４のコア部４ａから引き抜く。
【００２１】
包装容器１は底部近傍の外周面が外側に湾曲突出し、該底部に湾曲突出部１ａの外径よりも小さい口径からなる開口部１ｂを有する。そして、図１（ｃ）に示す天地逆さにした状態で、開口部１ｂから流動物とされた鏡餅２が充填収納された後、鏡餅２が硬化する。
【００２２】
開口部１ｂの周縁には鍔部１ｃが設けられており、包装容器１内に鏡餅２が充填収納され、鏡餅２が硬化した後に、該鍔部１ｃにフィルム３を接着して該開口部１ｂが閉塞される（図１（ａ）参照）。
【００２３】
包装容器１の鍔部１ｃの一部には切り口1c1が設けられており、該切り口1c1の近傍両側には包装容器１を破断するための摘み部1c2が設けられている。そして、図３に示すように、摘み部1c2を互いに反対方向に引っ張ることにより、該切り口1c1を始点とし、包装容器１の天面１ｄの中央部に設けられた射出成形用ゲート痕１ｅに向かって、該射出成形用ゲート痕１ｅから該射出成形用ゲート痕１ｅを中心に放射状に射出される樹脂の流れの方向に沿って包装容器１が容易に破断して、内包された鏡餅２を取り出すことが出来る。
【００２４】
鏡餅２を取り出す際にはフィルム３を包装容器１の鍔部１ｃから剥離した後、包装容器１を破断することでも良いし、予め破断し易いフィルム３を使用して包装容器１と一緒に破断することでも良い。
【００２５】
本実施形態では、包装容器１の材質として，ポリプロピレンとポリエチレンとを所定の比率で混練した合成樹脂を採用しているが、包装容器１及びフィルム３の材質はこれらに限定されるものではない。
【００２６】
上記構成によれば、包装容器１の鍔部１ｃの一部に設けられた切り口1c1を始点とし、該包装容器１の射出成形用ゲート痕１ｅに向かって、該射出成形用ゲート痕１ｅから該射出成形用ゲート痕１ｅを中心に放射状に射出される樹脂の流れの方向に沿って該包装容器１を容易に破断することができ、内包された鏡餅２を取り出すことが出来る。従って、包装容器１の肉厚はそのままで破断方向に自由度が得られる包装容器１とすることが出来る。
【００２７】
また、内容物がプリンや鏡餅２などの固形物食品に適用でき、該固形物食品の外形を維持したままで、包装容器１から容易に取り出すことが出来る。
【００２８】
また、内容物が底部近傍の外周面が外側に湾曲突出した鏡餅２に適用でき、硬化した鏡餅２を切断する必要もなく外形を維持したままで、包装容器１から容易に取り出すことが出来る。
【００２９】
また、包装容器１の天面１ｄの中央部に射出成形用ゲート痕１ｅを設けたことで、包装容器１の底部の開口部１ｂから天面１ｄの中央部に向かって放射状にどの方向にでも破断することが出来、破断方向に自由度が得られる。
【００３０】
また、包装容器１の一部に設けられた切り口1c1の近傍両側に設けた摘み部1c2を摘んで包装容器１を容易に破断することが出来る。
【実施例２】
【００３１】
次に図５を用いて本考案に係る包装容器の第２実施形態の構成について説明する。図５において、方形状の包装容器１内に内容物９として液体或いはジェリー状の流体が底部の図示しない開口部から充填収納され、該開口部の周縁に設けられた鍔部１ｃに図示しないフィルムを接着して該開口部が閉塞される。本実施形態の鍔部１ｃには内容物９を吐出するための吐出口1c3が設けられ、該吐出口1c3の終端部は該鍔部１ｃの外周縁よりも内側に設けられている。
【００３２】
鍔部１ｃの一部には切り口1c1が設けられ、該切り口1c1の近傍両側には包装容器１の鍔部１ｃに形成された吐出口1c3を破断するための摘み部1c2が設けられている。また、鍔部１ｃの吐出口1c3を挟んで切り口1c1と反対側には包装容器１の射出成形用ゲート痕１ｅが設けられる。
【００３３】
そして、一対の摘み部1c2を互いに反対方向に引っ張ることにより、包装容器１の鍔部１ｃの一部に設けられた切り口1c1を始点とし、該包装容器１の射出成形用ゲート痕１ｅに向かって、該射出成形用ゲート痕１ｅから該射出成形用ゲート痕１ｅを中心に放射状に射出される樹脂の流れの方向に沿って包装容器１の吐出口1c3の一部を含む鍔部１ｃの一部1c4を破断して、該吐出口1c3の開口から内包された内容物９を取り出すことが出来る。他の構成は、前記第１実施形態と同様に構成され、同様な効果を得ることができる。
【産業上の利用可能性】
【００３４】
本考案の活用例として、内容物を内包する包装容器の底部の開口部から内容物を充填収納し、該開口部の周縁に設けられた鍔部にフィルムを接着して該開口部が閉塞される包装容器に適用出来る。
【符号の説明】
【００３５】
１    …包装容器
１ａ  …湾曲突出部
１ｂ  …開口部
１ｃ  …鍔部
1c1   …切り口
1c2   …摘み部
1c3   …吐出口
1c4   …鍔部の一部
１ｄ  …天面
１ｅ  …射出成形用ゲート痕
２    …鏡餅（内容物；固形物食品）
３    …フィルム
４    …コアプレート
４ａ  …コア部
５    …エジェクタピン
６    …ストリッププレート
７    …キャビティ
８    …スプルゥブッシュ
９    …内容物
【図１】
0003158883.tif 000003
【図２】
0003158883.tif 000004
【図３】
0003158883.tif 000005
【図４】
0003158883.tif 000006
【図５】
0003158883.tif 000007
【手続補正書】
【提出日】平成22年2月22日(2010.2.22)
【手続補正１】
【補正対象書類名】実用新案登録請求の範囲
【補正対象項目名】全文
【補正方法】変更
【補正の内容】
【実用新案登録請求の範囲】
【請求項１】
内容物を内包する包装容器が射出成形により作成されると共に、底部の開口部から前記内容物を充填収納し、前記開口部の周縁に設けられた鍔部にフィルムを接着して該開口部が閉塞される包装容器であって、
前記包装容器の前記鍔部の一部に設けられた切り口を始点とし、前記包装容器の射出成形用ゲート痕に向かって、該射出成形用ゲート痕から該射出成形用ゲート痕を中心に放射状に射出される樹脂の流れの方向に沿って前記包装容器を破断して、内包された内容物を取り出し得ることを特徴とする包装容器。
【請求項２】
前記内容物は固形物食品であり、前記包装容器は内包される固形物食品の外周表面形状に対応して射出成形により作成されると共に、前記底部の開口部から前記固形物食品の流動物を充填収納し得ることを特徴とする請求項１に記載の包装容器。
【請求項３】
前記内容物は鏡餅であり、前記包装容器は内包される鏡餅の外周表面形状に対応して射出成形により作成されると共に、前記底部近傍の外周面が外側に湾曲突出し、該底部に前記湾曲突出部の外径よりも小さい口径からなる開口部を有し、その開口部から鏡餅を充填収納し得ることを特徴とする請求項２に記載の包装容器。
【請求項４】
前記包装容器の天面の中央部に前記射出成形用ゲート痕が設けられたことを特徴とする請求項１〜３の何れか１項に記載の包装容器。
【請求項５】
前記包装容器の一部に設けられた切り口の近傍両側に前記包装容器を破断するための摘み部が設けられたことを特徴とする請求項１〜４の何れか１項に記載の包装容器。
【手続補正２】
【補正対象書類名】明細書
【補正対象項目名】全文
【補正方法】変更
【補正の内容】
【考案の詳細な説明】
【技術分野】
【０００１】
本考案は、内容物を内包する包装容器の底部の開口部から内容物を充填収納し、該開口部の周縁に設けられた鍔部にフィルムを接着して該開口部が閉塞される包装容器に関するものである。
【背景技術】
【０００２】
従来、内容物を内包する包装容器の底部の開口部から内容物を充填収納し、該開口部の周縁に設けられた鍔部にフィルムを接着して該開口部が閉塞される包装容器の一例として鏡餅容器がある。鏡餅容器内に内包された鏡餅を取り出す際には、鏡餅容器を破断して取り出す必要があり、容器の樹脂が破断し難い場合もあった。
【０００３】
そこで、特開２００８−２９６９２８号公報（特許文献１）では、鏡餅容器に予め凹状切断線部を形成しておき、その凹状切断線部に沿って鏡餅容器を切断して鏡餅を取り出すものが提案されている。また、特開２００９−０８３９２６号公報（特許文献２）では、プラスチックのシート状物を二段重ねの鏡餅形状に成形し、そのシート状物を作成する際のシート流れ方向に切断用ノッチの向きを一致させて、シート流れ方向に沿って鏡餅容器を引き裂いて鏡餅を取り出すものが提案されている。
【先行技術文献】
【特許文献】
【０００４】
【特許文献１】特開２００８−２９６９２８号公報
【特許文献２】特開２００９−０８３９２６号公報
【考案の概要】
【考案が解決しようとする課題】
【０００５】
しかしながら、前述の特許文献１の技術では、凹状切断線部の内面部位が他の内面部位よりも肉薄となる構成であるため、凹状切断線部が局部的に破断し易くなり、輸送時などの取り扱いに注意を要するものであった。また、特許文献２の技術では、シート流れ方向に沿っては引き裂き易いが、それ以外の例えばシート流れ方向と直行する方向には引き裂き難いため、決まった方向にしか引き裂くことができず、自由度に欠けるといった問題があった。
【０００６】
本考案は前記課題を解決するものであり、その目的とするところは、包装容器の肉厚はそのままで破断方向に自由度が得られる包装容器を提供せんとするものである。
【課題を解決するための手段】
【０００７】
前記目的を達成するための本考案に係る包装容器の第１の構成は、内容物を内包する包装容器が射出成形により作成されると共に、底部の開口部から前記内容物を充填収納し、前記開口部の周縁に設けられた鍔部にフィルムを接着して該開口部が閉塞される包装容器であって、前記包装容器の前記鍔部の一部に設けられた切り口を始点とし、前記包装容器の射出成形用ゲート痕に向かって、該射出成形用ゲート痕から該射出成形用ゲート痕を中心に放射状に射出される樹脂の流れの方向に沿って前記包装容器を破断して、内包された内容物を取り出し得ることを特徴とする。
【０００８】
また、本考案に係る包装容器の第２の構成は、前記第１の構成において、前記内容物は固形物食品であり、前記包装容器は内包される固形物食品の外周表面形状に対応して射出成形により作成されると共に、前記底部の開口部から前記固形物食品の流動物を充填収納し得ることを特徴とする。
【０００９】
また、本考案に係る包装容器の第３の構成は、前記第２の構成において、前記内容物は鏡餅であり、前記包装容器は内包される鏡餅の外周表面形状に対応して射出成形により作成されると共に、前記底部近傍の外周面が外側に湾曲突出し、該底部に前記湾曲突出部の外径よりも小さい口径からなる開口部を有し、その開口部から鏡餅を充填収納し得ることを特徴とする。
【００１０】
また、本考案に係る包装容器の第４の構成は、前記第１〜３の構成において、前記包装容器の天面の中央部に前記射出成形用ゲート痕が設けられたことを特徴とする。
【００１１】
また、本考案に係る包装容器の第５の構成は、前記第１〜４の構成において、前記包装容器の一部に設けられた切り口の近傍両側に前記包装容器を破断するための摘み部が設けられたことを特徴とする。
【考案の効果】
【００１２】
本考案に係る包装容器の第１の構成によれば、包装容器の前記鍔部の一部に設けられた切り口を始点とし、該包装容器の射出成形用ゲート痕に向かって、該射出成形用ゲート痕から該射出成形用ゲート痕を中心に放射状に射出される樹脂の流れの方向に沿って該包装容器を容易に破断することができ、内包された内容物を取り出すことが出来る。
【００１３】
また、本考案に係る包装容器の第２の構成によれば、内容物がプリンなどの固形物食品に適用でき、固形物食品の外形を維持したままで、包装容器から容易に取り出すことが出来る。
【００１４】
また、本考案に係る包装容器の第３の構成によれば、内容物が底部近傍の外周面が外側に湾曲突出した鏡餅に適用でき、硬化した鏡餅を切断する必要もなく外形を維持したままで、包装容器から容易に取り出すことが出来る。
【００１５】
また、本考案に係る包装容器の第４の構成によれば、包装容器の天面の中央部に射出成形用ゲート痕を設けたことで、包装容器の底部の開口部から天面の中央部に向かって放射状にどの方向にでも破断することが出来、破断方向に自由度が得られる。
【００１６】
また、本考案に係る包装容器の第５の構成によれば、包装容器の一部に設けられた切り口の近傍両側に設けた摘み部を摘んで包装容器を容易に破断することが出来る。
【図面の簡単な説明】
【００１７】
【図１】本考案に係る包装容器の第１実施形態の構成を示す斜視説明図である。
【図２】本考案に係る包装容器の第１実施形態の構成を示す分解説明図である。
【図３】第１実施形態の包装容器を破断して内容物を取り出す様子を示す斜視説明図である。
【図４】第１実施形態の包装容器が射出成形により作成される様子を示す断面説明図である。
【図５】（ａ）は本考案に係る包装容器の第２実施形態の構成を示す斜視説明図、（ｂ）は第２実施形態の包装容器の鍔部に設けた吐出口を破断して内容物を取り出す様子を示す斜視説明図である。
【考案を実施するための形態】
【００１８】
図により本考案に係る包装容器の一実施形態を具体的に説明する。先ず、図１〜図４を用いて本考案に係る包装容器の第１実施形態の構成について説明する。
【実施例１】
【００１９】
図１〜図４において、１は内容物として、固形物食品としての鏡餅２を内包する包装容器であり、図４に示すように、鏡餅２の外周表面形状に対応して射出成形により作成される。図４はセンターピンゲートの金型を使用して射出成形を行う場合の一例であり、コアプレート４に対してエジェクタピン５により可動するストリッププレート６と、コアプレート４のコア部４ａに対向すると共に、左右に２分割される一対のキャビティ７を有して構成される。
【００２０】
そして、図４（ａ）に示す状態の金型にスプルゥブッシュ８から樹脂を射出して図４（ｂ）に示すように、包装容器１を成形して硬化させた後、図４（ｃ）に示すように、キャビティ７を左右に分割して退避させ、スプルゥブッシュ８も上方に退避させ、図４（ｄ）に示すように、エジェクタピン５によりストリッププレート６を上昇させて包装容器１をコアプレート４のコア部４ａから引き抜く。
【００２１】
包装容器１は底部近傍の外周面が外側に湾曲突出し、該底部に湾曲突出部１ａの外径よりも小さい口径からなる開口部１ｂを有する。そして、図１（ｃ）に示す天地逆さにした状態で、開口部１ｂから流動物とされた鏡餅２が充填収納された後、鏡餅２が硬化する。
【００２２】
開口部１ｂの周縁には鍔部１ｃが設けられており、包装容器１内に鏡餅２が充填収納され、鏡餅２が硬化した後に、該鍔部１ｃにフィルム３を接着して該開口部１ｂが閉塞される（図１（ａ）参照）。
【００２３】
包装容器１の鍔部１ｃの一部には切り口1c1が設けられており、該切り口1c1の近傍両側には包装容器１を破断するための摘み部1c2が設けられている。そして、図３に示すように、摘み部1c2を互いに反対方向に引っ張ることにより、該切り口1c1を始点とし、包装容器１の天面１ｄの中央部に設けられた射出成形用ゲート痕１ｅに向かって、該射出成形用ゲート痕１ｅから該射出成形用ゲート痕１ｅを中心に放射状に射出される樹脂の流れの方向に沿って包装容器１が容易に破断して、内包された鏡餅２を取り出すことが出来る。
【００２４】
鏡餅２を取り出す際にはフィルム３を包装容器１の鍔部１ｃから剥離した後、包装容器１を破断することでも良いし、予め破断し易いフィルム３を使用して包装容器１と一緒に破断することでも良い。
【００２５】
本実施形態では、包装容器１の材質として、ポリプロピレンとポリエチレンとを所定の比率で混練した合成樹脂を採用しているが、包装容器１及びフィルム３の材質はこれらに限定されるものではない。
【００２６】
上記構成によれば、包装容器１の鍔部１ｃの一部に設けられた切り口1c1を始点とし、該包装容器１の射出成形用ゲート痕１ｅに向かって、該射出成形用ゲート痕１ｅから該射出成形用ゲート痕１ｅを中心に放射状に射出される樹脂の流れの方向に沿って該包装容器１を容易に破断することができ、内包された鏡餅２を取り出すことが出来る。従って、包装容器１の肉厚はそのままで破断方向に自由度が得られる包装容器１とすることが出来る。
【００２７】
また、内容物がプリンや鏡餅２などの固形物食品に適用でき、該固形物食品の外形を維持したままで、包装容器１から容易に取り出すことが出来る。
【００２８】
また、内容物が底部近傍の外周面が外側に湾曲突出した鏡餅２に適用でき、硬化した鏡餅２を切断する必要もなく外形を維持したままで、包装容器１から容易に取り出すことが出来る。
【００２９】
また、包装容器１の天面１ｄの中央部に射出成形用ゲート痕１ｅを設けたことで、包装容器１の底部の開口部１ｂから天面１ｄの中央部に向かって放射状にどの方向にでも破断することが出来、破断方向に自由度が得られる。
【００３０】
また、包装容器１の一部に設けられた切り口1c1の近傍両側に設けた摘み部1c2を摘んで包装容器１を容易に破断することが出来る。
【実施例２】
【００３１】
次に図５を用いて本考案に係る包装容器の第２実施形態の構成について説明する。図５において、方形状の包装容器１内に内容物９として液体或いはジェリー状の流体が底部の図示しない開口部から充填収納され、該開口部の周縁に設けられた鍔部１ｃに図示しないフィルムを接着して該開口部が閉塞される。本実施形態の鍔部１ｃには内容物９を吐出するための吐出口1c3が設けられ、該吐出口1c3の終端部は該鍔部１ｃの外周縁よりも内側に設けられている。
【００３２】
鍔部１ｃの一部には切り口1c1が設けられ、該切り口1c1の近傍両側には包装容器１の鍔部１ｃに形成された吐出口1c3を破断するための摘み部1c2が設けられている。また、鍔部１ｃの吐出口1c3を挟んで切り口1c1と反対側には包装容器１の射出成形用ゲート痕１ｅが設けられる。
【００３３】
そして、一対の摘み部1c2を互いに反対方向に引っ張ることにより、包装容器１の鍔部１ｃの一部に設けられた切り口1c1を始点とし、該包装容器１の射出成形用ゲート痕１ｅに向かって、該射出成形用ゲート痕１ｅから該射出成形用ゲート痕１ｅを中心に放射状に射出される樹脂の流れの方向に沿って包装容器１の吐出口1c3の一部を含む鍔部１ｃの一部1c4を破断して、該吐出口1c3の開口から内包された内容物９を取り出すことが出来る。他の構成は、前記第１実施形態と同様に構成され、同様な効果を得ることができる。
【産業上の利用可能性】
【００３４】
本考案の活用例として、内容物を内包する包装容器の底部の開口部から内容物を充填収納し、該開口部の周縁に設けられた鍔部にフィルムを接着して該開口部が閉塞される包装容器に適用出来る。
【符号の説明】
【００３５】
１    …包装容器
１ａ  …湾曲突出部
１ｂ  …開口部
１ｃ  …鍔部
1c1   …切り口
1c2   …摘み部
1c3   …吐出口
1c4   …鍔部の一部
１ｄ  …天面
１ｅ  …射出成形用ゲート痕
２    …鏡餅（内容物；固形物食品）
３    …フィルム
４    …コアプレート
４ａ  …コア部
５    …エジェクタピン
６    …ストリッププレート
７    …キャビティ
８    …スプルゥブッシュ
９    …内容物